(57)【要約】【課題】  レーザー光を生成放射する半導体レーザー装置に組み込まれるレーザーチップのサブ基台に対する位置合わせを正確に行うことが出来る技術を提供する。【解決手段】  ステムに固定されたリード端子と電気的に接続されたパターンが形成されているとともにレーザー光を生成するレーザーチップ７が半田付けされるサブ基台が前記ステムに固定された半導体レーザー装置であり、前記レーザーチップ７のレーザー光が放射される発光点７Ａが設けられている端面に位置決め用の印９Ａ、９Ｂを設ける。【選択図】  図１
2014157847.tif 000002
【特許請求の範囲】
【請求項１】
ステムに固定されたリード端子と電気的に接続されたパターンが形成されているとともにレーザー光を生成するレーザーチップが半田付けされるサブ基台が前記ステムに固定されている半導体レーザー装置であり、前記レーザーチップのレーザー光が放射される発光点が設けられている端面に位置決め用の印を設けたことを特徴とする半導体レーザー装置。
【請求項２】
位置決め用の印を発光点を挟んで一対設けたことを特徴とする請求項１に記載の半導体レーザー装置。
【請求項３】
位置決め用の印をフォトリソグラフィ技術にて形成するようにしたことを特徴とする請求項１または請求項２に記載の半導体レーザー装置。
【請求項４】
位置決め用の印を撮像装置にて撮影することによってレーザーチップのサブ基台に対する位置決めを行うようにしたことを特徴とする請求項１または請求項２に記載の半導体レーザー装置。
【発明の詳細な説明】
【技術分野】
【０００１】
本発明は、光ディスクに記録されている信号の読み出し動作や光ディスクに信号の記録動作をレーザー光によって行う光ピックアップ装置に組み込まれる半導体レーザー装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、波長が７８５ｎｍである赤外光が使用され、ＤＶＤ規格の光ディスクに記録されている信号の読み出し動作行うレーザー光としては、波長が６５５ｎｍの赤色光が使用されている。
【０００５】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００６】
光ピックアップ装置において、レーザー光を生成する手段としてレーザーダイオード、即ち半導体レーザー装置が一般に採用されている(特許文献１参照)。
【０００７】
ＣＤ規格の光ディスク、ＤＶＤ規格の光ディスク及びＢｌｕ−ｒａｙ規格の光ディスクの全ての光ディスクに記録されている信号の読み出し動作を行うことが出来る光ピックアップ装置が製品化されているが、斯かる光ピックアップ装置には異なる波長のレーザー光を生成放射するレーザーダイオードが組み込まれることになる。
【０００８】
前述した３つの規格の光ディスクに記録されている信号の読み出し動作を行うことが出来る光ピックアップ装置は、ＣＤ規格の光ディスク及びＤＶＤ規格の光ディスクに対応する２波長のレーザー光を生成する２波長レーザーダイオードとＢｌｕ−ｒａｙ規格の光ディスクに対応する波長のレーザー光を生成するレーザーダイオードの２つのレーザーダイオードが一般に組み込まれている。
【０００９】
斯かる２つのレーザーダイオードが組み込まれた光ピックアップ装置は、光学系の構成が複雑になるため高価になるだけでなく組立作業の工数が多くなるという問題がある。斯かる問題を解決するために最近では、３つの異なる波長のレーザー光を生成するレーザーチップを１つのケース内に設けるように構成された３波長対応のレーザーダイオードが開発されている。
【００１０】
図４は１つのケース内に３つの異なる波長のレーザー光を生成するレーザーチップが組み込まれたレーザーダイオードのチップの配置を示すものである。同図において、１はＣＤ規格に対応する波長が７８５ｎｍである赤外光を生成するＣＤ用レーザー素子及びＤＶＤ規格に対応する波長が６５５ｎｍである赤色光を生成するＤＶＤ用レーザー素子がモノリシック技術にて製造されている２波長レーザーチップであり、１Ｃ及び１ＤはＣＤ用レーザー素子の発光点及びＤＶＤ用レーザー素子の発光点である。
【００１１】
２はＢｌｕ−ｒａｙ規格に対応する波長が４０５ｎｍの青紫色光を生成するＢｌｕ−ｒａｙ用レーザー素子が組み込まれているＢｌｕ−ｒａｙ用レーザーチップであり、２ＢはＢｌｕ−ｒａｙ用レーザー素子の発光点である。そして、前記３波長対応のレーザーダイオードでは、前記２波長レーザーチップ１及びＢｌｕ−ｒａｙ用レーザーチップ２が１つのケース内にハイブリッド技術によって組み込まれている。
【００１２】
前述した３波長のレーザーダイオードが組み込まれた光ピックアップ装置は、光学系の光路を共用することが出来るので、光学構成を簡潔にすることが出来るという利点を有するが、レーザーダイオードに組み込まれている各レーザー光の発光点は図４に示すように３箇所別々に配置されるので、各レーザー光の光軸がずれることになる。
【００１３】
光ピックアップ装置では、前述した光軸のずれを考慮して光学設計を行うようにされているが、光軸のずれは一定ではなく、レーザーチップの固定位置にずれが生じることになる。２波長レーザーチップ１内に形成されるＣＤ用レーザー素子とＤＶＤ用レーザー素子とは、前述したようにモノリシック技術によって製造されるので、ＣＤ用レーザー素子の発光点１ＣとＤＶＤ用レーザー素子の発光点１Ｄとの間の位置関係は精度良く設定されることになる。これに対して、Ｂｌｕ−ｒａｙ用レーザーチップ２は、ハイブリッド技術によって組み込まれるので、ＤＶＤ用レーザー素子の発光点１ＤとＢｌｕ−ｒａｙ用レーザー素子の発光点２Ｂとの間の距離Ｌにバラツキが発生することになる。
【先行技術文献】
【特許文献】
【００１４】
【特許文献１】特開２００６−３２７６５号公報
【発明の概要】
【発明が解決しようとする課題】
【００１５】
図３は従来の半導体レーザー装置の組立動作を説明するための斜視図である。同図において、３は半導体レーザー装置を構成するステムと呼ばれる基台であり、リード端子４が固定されているとともに基台５が固定されている。６は前記基台５に固定されているとともに前記リード端子４と電気的に接続されるパターン６Ａが形成されているサブ基台であり、レーザー光を生成放射するレーザーチップ７が半田付けによって固定されるように構成されている。
【００１６】
図２はレーザーチップ７が前記サブ基台６上に半田付けにて固定された状態を示すものであり、斯かる固定動作時の位置合わせについて説明する。図３において、８は撮像装置であり、組立作業者はこの撮像装置８にてレーザーチップ７の上面から撮影されるモニター画面を見ながらレーザーチップ７のサブ基台６に対する位置合わせを行うようにされている。即ち、レーザーチップ７の基準位置、例えばレーザーチップ７のコーナー部７Ｂがサブ基台６上に設けられているパターンの基準位置に合致するようにモニター画面を見ながらレーザーチップ７の位置を調整し、その位置が合致したとき半田付け装置によってレーザーチップ７の下面に設けられている電極をサブ基台６上のパターンに接着することによって半導体レーザー装置へのレーザーチップ７の固定動作が行われる。
【００１７】
斯かる固定動作を行うことによってレーザーチップ７をサブ基台６上の所定の位置に図２に示すように固定することが出来るが、斯かる従来の固定方法では、レーザーチップ７の外形や電極等を基準にして位置合わせをするので、形状や電極に変形があったりするとレーザーチップ７の端面に設けられている発光点７Ａとの基準位置との間にずれが生じるので、発光点７Ａが最良の位置からずれるという問題がある。
【００１８】
本発明は、斯かる問題を解決することが出来る半導体レーザー装置を提供しようとするものである。
【課題を解決するための手段】
【００１９】
本発明は、ステムに固定されたリード端子と電気的に接続されたパターンが形成されているとともにレーザー光を生成するレーザーチップが半田付けされるサブ基台が前記ステムに固定されている半導体レーザー装置であり、前記レーザーチップのレーザー光が放射される発光点が設けられている端面に位置決め用の印を設けたことを特徴とするものである。
【００２０】
また、本発明は、位置決め用の印を発光点を挟んで一対設けたことを特徴とするものである。
【００２１】
そして、本発明は、位置決め用の印をフォトリソグラフィ技術にて形成するようにしたことを特徴とするものである。
【００２２】
また、本発明は、位置決め用の印を撮像装置にて撮影することによってレーザーチップのサブ基台に対する位置決めを行うようにしたことを特徴とするものである。
【発明の効果】
【００２３】
本発明の半導体レーザー装置は、レーザーチップのレーザー光が放射される発光点が設けられている端面に位置決め用の印を設けたので、即ち、発光点と位置決め用の印とが同一の面に設けられているので、発光点の位置を位置決め用の印から認識することが出来、その結果レーザーチップをサブ基台上の正確な位置に固定することが出来る。
【００２４】
従って、本発明によれば、３つの波長が異なるレーザー光を生成放射するレーザー素子が同一のケース内に組み込まれる半導体レーザー装置に実施した場合に各レーザー素子から放射されるレーザー光の光軸を所定の位置に設定することが出来る。
【図面の簡単な説明】
【００２５】
【図１】本発明に係るレーザーチップを説明するための斜視図である。
【図２】半導体レーザー装置を示す斜視図である。
【図３】従来の半導体レーザー装置の組立動作を説明するための斜視図である。
【図４】半導体レーザー装置に組み込まれるレーザーチップの配置関係を説明するための図である。
【発明を実施するための形態】
【００２６】
レーザー光を生成放射するレーザーチップをステムに形成されているサブ基台に対して固定する場合の位置合わせを正確に行うことが出来る半導体レーザー装置に関する。
【実施例１】
【００２７】
図１は本発明に係るレーザーチップを説明するための斜視図であり、図２の斜視図に示した部材と同一のものには同一の符号を付している。
【００２８】
本発明は、レーザーチップ７の発光点７Ａが設けられている面のレーザー光の生成動作に作用しない端面に前記発光点７Ａを挟んで一対の位置決め用の印９Ａ及び９Ｂを集積回路等の製造時に使用されるフォトリソグラフィ技術によって形成したことを特徴とするものである。
【００２９】
フォトリソグラフィ技術は、位置精度が非常に高いので、発光点７Ａと位置決め用の印９Ａ及び９Ｂとの間の距離を正確に設定することが出来る。斯かる構成のレーザーチップ７をサブ基台６に半田付けによる固定を行う場合は、撮像装置８にてレーザーチップ７の発光点７Ａが設けられている端面側から前記位置決め用の印９Ａ及び９Ｂを撮影することによって行われる。
【００３０】
即ち、レーザーチップ７の端面側から前記位置決め用の印９Ａ及び９Ｂを撮影し、そのモニター画面に基づいて該位置決め用の印９Ａ及び９Ｂがサブ基台６上の基準位置と合致するように調整すればレーザーチップ７をサブ基台６上の設定位置に半田付けすることが出来る。前記位置決め用の印９Ａ及び９Ｂとレーザーチップ７の発光点７Ａとの位置関係は正確であるので、レーザーチップ７をサブ基台６上の設定位置に半田付け固定すれば、発光点７Ａの位置も最良の位置に固定されることになるので、光軸が設定位置からずれることはない。
【００３１】
尚、本実施例では、位置決め用の印を一対設けたが、その数は限定されるものではなく、例えば１つであっても良い。
【産業上の利用可能性】
【００３２】
本発明は、Ｂｌｕ−ｒａｙ規格の光ディスク、ＤＶＤ規格の光ディスク及びＣＤ規格の光ディスクに記録されている信号を読み出すための光ピックアップ装置に使用される半導体レーザー装置だけでなく、その他の光学装置にも応用することが出来る。
【符号の説明】
【００３３】
３      ステム
４      リード端子
６      サブ基台
６Ａ    パターン
７      レーザーチップ
７Ａ    発光点
８      撮像装置
９Ａ、９Ｂ    印
【図１】
2014157847.tif 000003
【図２】
2014157847.tif 000004
【図３】
2014157847.tif 000005
【図４】
2014157847.tif 000006